(57)【要約】【課題】本発明は、復調基準信号（ＤＭＲＳ）の送信パワー設定方法及び送信パワー設定装置を提供する。【解決手段】当該方法では、リソースエレメント（ＲＥ）における各階層でのＤＭＲＳの送信パワーと、対応する階層でのデータの送信パワーとの割合を定常値に設定する。本発明によれば、ネットワーク側が、各階層でのＤＭＲＳの送信パワーと、対応する階層でのデータの送信パワーとの間の対応関係をユーザ端末に通知する必要がない。これにより、ネットワーク側での制御シグナルのオーバーヘッドを低減可能となる。各階層でのＤＭＲＳとデータの送信パワーとの間の対応関係がユーザ端末に設定されるため、ユーザ端末が、ネットワーク側からの通知を待たずにチャネル推定を実行できる。また、チャネル推定の効率が向上する。【選択図】図２
2013519320.tif 000002
【特許請求の範囲】
【請求項１】
復調基準信号の送信パワー設定方法であって、
リソースエレメントにおける各階層での復調基準信号（ＤＭＲＳ：Ｄｅｍｏｄｕｌａｔｉｏｎ  Ｒｅｆｅｒｅｎｃｅ  Ｓｉｇｎａｌ）の送信パワーと、対応する階層でのデータの送信パワーとの割合を定常値に設定する
ことを特徴とする送信パワー設定方法。
【請求項２】
更に、同一のリソースエレメントにおける各階層でのＤＭＲＳの送信パワーを同じ送信パワーに設定する
ことを特徴とする請求項１に記載の方法。
【請求項３】
更に、ダウンリンク伝送に用いられる総階層数に応じて異なる定常値をセットし、又は、ダウンリンク伝送に用いられる総階層数に応じて固有の定常値をセットする
ことを特徴とする請求項１に記載の方法。
【請求項４】
前記ダウンリンク伝送に用いられる総階層数に応じて異なる前記定常値をセットするステップは、
前記ダウンリンク伝送に用いられる総階層数が、２以下である場合に、第１の定常値をセットすることと、
前記ダウンリンク伝送に用いられる総階層数が、３以上である場合に、第２の定常値をセットすることとを含む
ことを特徴とする請求項３に記載の方法。
【請求項５】
更に、ダウンリンク伝送に用いられる総階層数が、３以上であり、且つ、奇数である場合に、その中の１つの階層でのＤＭＲＳを同時に２つのＤＭＲＳポートにマッピングする
ことを特徴とする請求項１に記載の方法。
【請求項６】
復調基準信号の送信パワー設定装置であって、
リソースエレメントにおける各階層での復調基準信号（ＤＭＲＳ：Ｄｅｍｏｄｕｌａｔｉｏｎ  Ｒｅｆｅｒｅｎｃｅ  Ｓｉｇｎａｌ）の送信パワーと、対応する階層でのデータの送信パワーとの割合を定常値に設定するための設定ユニットを含む
ことを特徴とする送信パワー設定装置。
【請求項７】
前記設定ユニットは、更に、同一のリソースエレメントにおける各階層でのＤＭＲＳの送信パワーを同じ送信パワーに設定する
ことを特徴とする請求項６に記載の装置。
【請求項８】
前記装置は、更にダウンリンク伝送に用いられる総階層数に応じて異なる定常値をセットし、又は、ダウンリンク伝送に用いられる総階層数に応じて固有の定常値をセットするためのセッティングユニットを含む
ことを特徴とする請求項６に記載の装置。
【請求項９】
前記セッティングユニットは、更に、
ダウンリンク伝送に用いられる総階層数が、２以下である場合に、第１の定常値をセットし、
ダウンリンク伝送に用いられる総階層数が、３以上である場合に、第２の定常値をセットする
ことを特徴とする請求項８に記載の装置。
【請求項１０】
前記装置は、更に、
ダウンリンク伝送に用いられる総階層数が、３以上であり、且つ、奇数である場合に、その中の１つの階層でのＤＭＲＳを同時に２つのＤＭＲＳポートにマッピングするためのマッピングユニットを含む
ことを特徴とする請求項６に記載の装置。
【発明の詳細な説明】
【技術分野】
【０００１】
本発明は、復調基準信号（ＤＭＲＳ：Ｄｅｍｏｄｕｌａｔｉｏｎ  Ｒｅｆｅｒｅｎｃｅ  Ｓｉｇｎａｌ）に対応するリソースエレメント（ＲＥ：Ｒｅｓｏｕｒｃｅ  Ｅｌｅｍｅｎｔ）の、データリソースエレメントに対するパワーオフセットの設計技術に関し、特に、復調基準信号の送信パワー設定方法及び送信パワー設定装置に関する。
【背景技術】
【０００２】
高次マルチアンテナ技術は、ロング・ターム・エボリューション・アドバンスド（ＬＴＥ−Ａ又はＬＴＥ−Ａｄｖａｎｃｅｄ：Ｌｏｎｇ  Ｔｅｒｍ  Ｅｖｏｌｕｔｉｏｎ  Ａｄｖａｎｃｅｄ）システムの主要技術の１つであり、システムの伝送速度を向上させることに用いられる。高次マルチアンテナ技術を取り入れた後のチャネル品質測定及びデータ復調を実現するために、ＬＴＥ−Ａシステムは２種類のパイロット周波数信号をそれぞれ定義する。すなわち、ＤＭＲＳ、及びチャネル状態情報基準信号（ＣＳＩ−ＲＳ：Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ）である。ここで、ＤＭＲＳは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の復調基準信号に用いられる。チャネル状態情報（ＣＳＩ：Ｃｈａｎｎｅｌ  Ｓｔａｔｅ  Ｉｎｆｏｒｍａｔｉｏｎ）において測定された基準信号ＣＳＩ−ＲＳは、チャネル品質インデックス（ＣＱＩ：Ｃｈａｎｎｅｌ  Ｑｕａｌｉｔｙ  Ｉｎｄｉｃａｔｏｒ）、プレコーディングマトリクスインデックス（ＰＭＩ：Ｐｒｅｃｏｄｉｎｇ  Ｍａｔｒｉｘ  Ｉｎｄｉｃａｔｏｒ）、ランクインデックス（ＲＩ：Ｒａｎｋ  Ｉｎｄｉｃａｔｏｒ）等の情報の報告に用いられる。２種類の基準信号の構造は、マルチセル協調（ＣｏＭＰ：Ｃｏｏｒｄｉｎａｔｅｄ  Ｍｕｌｔｉ−Ｐｏｉｎｔ）及び空間多重等のようなＬＴＥ−Ａシステムの新たな技術をサポートすることに用いられることができる。
【０００３】
ＬＴＥシステムでは、共通基準信号（ＣＲＳ：Ｃｏｍｍｏｎ  Ｒｅｆｅｒｅｎｃｅ  Ｓｉｇｎａｌ）を用いてパイロット周波数を測定し、つまり、すべてのユーザは、共通パイロット周波数を用いてチャネル推定を行う。このような共通基準信号は、送信されたデータに対してどのような前処理方式を用いるかということを受信側に通知するために、送信側からの余分な通知メッセージが必要とされる。余分な通知メッセージは、たいてい余分なオーバーヘッドをもたらす。また、ＭＵ−ＭＩＭＯでは、ＵＥによって用いられた複数のＣＲＳが同じであるため、パイロット周波数の直交を実現することができない。そのため、干渉は推定されることが不可能である。
【０００４】
ＬＴＥ−Ａシステムでは、パイロット周波数のオーバーヘッドを低減するために、ＣＳＩ−ＲＳ及びＤＭＲＳが、別々に設計される。ここで、ＤＭＲＳ及びデータは、同じ前処理方式を用いる。それと同時に、ＤＭＲＳは、具体的にスケジューリングユーザに対応するチャネルの利用可能なランク（ｒａｎｋ）情報に応じて、マッピングされる。そのため、ランク情報に応じて、オーバーヘッドが自己適応的に調整可能なため、ランクが比較的小さい場合にも、オーバーヘッドを大幅に低減することができる。
【０００５】
図１は、ＬＴＥ＿Ａシステムにおける一般的なサイクリックプレフィックス（ＣＰ：Ｃｙｃｌｉｃ  Ｐｒｅｆｉｘ）モード下でのノーマルサブフレーム及び特殊サブフレームにおけるＤＭＲＳ搬送の模式図である。図１に示すように、現在の議論において、ＤＭＲＳの設計パターンは、既に決定されている。ここで、ダウンリンク伝送に用いられたランク数が、２以下である場合に、図に示すような砂模様格子（ｓａｎｄ  ｐｏｉｎｔｇｒｉｄ）に対応するＲＥのみを用いてＤＭＲＳを搬送する。そして、長さ２の直交カバーコード（ＯＣＣ：Ｏｒｔｈｏｇｏｎａｌ  Ｃｏｖｅｒ  Ｃｏｄｅ）を用いて、時間領域において２つの隣り合う直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのスクランブルを行う。ランク数が、３以上であり、且つ、４以下である場合に、２つのグループのＲＥを用いてＤＭＲＳを搬送する。この２つのグループのＲＥはそれぞれ図における砂模様格子及び格子線格子に対応する。ここで、各グループのＲＥにおける最大直交符号分割多重（ＣＤＭ：Ｃｏｄｅ  Ｄｉｖｉｓｉｏｎ  Ｍｕｌｔｉｐｌｅｘｉｎｇ）のＤＭＲＳ階層数は２である。そして、各グループにおける時間領域において２つの隣り合うＯＦＤＭシンボル上で、長さ２の直交カバーコードを用いて直交スクランブルを行う。一方、ランクが４より大きい場合に、ＤＭＲＳを搬送するための２つのグループのＲＥのうち、各グループでは、時間領域方向に、長さ４のＯＣＣコードを用いて直交スクランブルを行う。そして、各グループのＲＥにおける最大直交ＣＤＭのＤＭＲＳ階層数は４である。図１では、左側の図面が、ノーマルサブフレームにおけるＤＭＲＳ搬送の模式図であり、中央の図面及び右側の図面は、特殊サブフレームにおけるＤＭＲＳ搬送の模式図である。
【０００６】
図１に示すようなＤＭＲＳマッピング方式に応じて、周波数分割多重（ＦＤＭ：Ｆｒｅｑｕｅｎｃｙ  Ｄｉｖｉｓｉｏｎ  Ｍｕｌｔｉｐｌｅｘｉｎｇ）及びＣＤＭの混合多重技術が取り入れられる。これにより、総階層数が、奇数である場合に、ＤＭＲＳを搬送するためのリソースエレメントの異なる階層に対応する送信パワーは異なり、同時に、総階層数が２である場合の送信パワーは、総階層数が２以外の偶数である場合と異なっている。
【発明の開示】
【発明が解決しようとする課題】
【０００７】
これを鑑みて、本発明の主な目的は、ユーザ端末がネットワーク側からの通知を待たなくてもチャネル推定を実現することができるように、復調基準信号の送信パワー設定方法及び送信パワー設定装置を提供することにある。
【課題を解決するための手段】
【０００８】
上記目的を達成するために、本発明の技術的解決は、以下のように実現される。
復調基準信号の送信パワー設定方法は、
リソースエレメントにおける各階層での復調基準信号ＤＭＲＳの送信パワーと、対応する階層でのデータの送信パワーとの割合を定常値に設定する。
【０００９】
好ましくは、前記方法は、更に、
同一のリソースエレメントにおける各階層でのＤＭＲＳの送信パワーを同じ送信パワーに設定する。
【００１０】
好ましくは、前記方法は、更に、
ダウンリンク伝送に用いられる総階層数に応じて異なる定常値をセットし、
又は、ダウンリンク伝送に用いられる総階層数に応じて固有の定常値をセットする。
【００１１】
好ましくは、前記ダウンリンク伝送に用いられる総階層数応じて異なる定常値をセットするステップは、
ダウンリンク伝送に用いられる総階層数が、２以下である場合に、第１の定常値をセットすることと、
ダウンリンク伝送に用いられる総階層数が、３以上である場合に、第２の定常値をセットするステップとを含む。
【００１２】
好ましくは、前記方法は、更に、
ダウンリンク伝送に用いられる総階層数が、３以上であり、且つ、奇数である場合に、その中の１つの階層でのＤＭＲＳを同時に２つのＤＭＲＳポートにマッピングする。
【００１３】
復調基準信号の送信パワー設定装置は、
リソースエレメントにおける各階層でのＤＭＲＳの送信パワーと、対応する階層でのデータの送信パワーとの割合を定常値に設定するための設定ユニットを含む。
【００１４】
好ましくは、前記設定ユニットは、更に、同一のＲＥにおける各階層でのＤＭＲＳの送信パワーを同じ送信パワーに設定する。
【００１５】
好ましくは、前記装置は、更に、
ダウンリンク伝送に用いられる総階層数に応じて異なる定常値をセットし、又は、ダウンリンク伝送に用いられる総階層数に応じて固有の定常値をセットするためのセッティングユニットを含む。
【００１６】
好ましくは、前記セッティングユニットは、更に、
ダウンリンク伝送に用いられる総階層数が、２以下である場合に、第１の定常値をセットし、ダウンリンク伝送に用いられる総階層数が、３以上である場合に、第２の定常値をセットする。
【００１７】
好ましくは、前記装置は、更に、
ダウンリンク伝送に用いられる総階層数が、３以上であり、且つ、奇数である場合に、その中の１つの階層でのＤＭＲＳを同時に２つのＤＭＲＳポートにマッピングするためのマッピングユニットを含む。
【００１８】
好ましくは、前記定常値は、４以下の自然数である。
【００１９】
本発明では、ＲＥにおける各階層でのＤＭＲＳの送信パワーと、対応する階層でのデータの送信パワーとの間の割合を定常値に設定し、そしてこの定常値の割合をユーザ端末に設定する。そのため、ネットワーク側が、各階層でのＤＭＲＳの送信パワーと、対応する階層での送信パワーとの間の対応関係をユーザ端末に通知する必要がない。これにより、ネットワーク側での制御シグナルのオーバーヘッドが低減する。各階層でのＤＭＲＳとデータの送信パワーとの間の対応関係がユーザ端末に設定されるため、ユーザ端末は、ネットワーク側からの通知を待たなくてもチャネル推定を実現できる。これにより、チャネル推定の効率が向上する。
【図面の簡単な説明】
【００２０】
【図１】ＬＴＥ＿Ａシステムにおける一般的なＣＰモード下でのノーマルサブフレーム及び特殊サブフレームにおけるＤＭＲＳ搬送の模式図である。
【図２】本発明に係る復調基準信号の送信パワー設定装置の第１の構成の模式図である。
【図３】本発明に係る復調基準信号の送信パワー設定装置の第２の構成の模式図である。
【図４】本発明に係る復調基準信号の送信パワー設定装置の第３の構成の模式図である。
【発明を実施するための形態】
【００２１】
本発明の基本的な着想は、以下の様なものである。ＲＥにおける各階層でのＤＭＲＳの送信パワーと、対応する階層でのデータの送信パワーとの間の割合を定常値に設定することにある。そしてこの定常値の割合をユーザ端末に設定する。そのため、ネットワーク側が、各階層でのＤＭＲＳの送信パワーと、対応する階層でのデータの送信パワーとの間の対応関係をユーザ端末に通知する必要がない。これにより、ネットワーク側での制御シグナルのオーバーヘッドが低減する。
【００２２】
本発明の目的、技術的解決及び技術的利点を更に明らかにするために、以下、添付の図面及び実施形態を参照して本発明を更に詳しく説明する。
【００２３】
本発明では、ＤＭＲＳリソースエレメントとは、ＤＭＲＳを伝送するためのリソースエレメントである。データリソースエレメントとは、トラフィックデータの伝送を行うためのリソースエレメントである。図１に示すように、図における砂模様や格子線で覆われた格子は、ＤＭＲＳを搬送するためのリソースエレメントである。空白の格子は、データを搬送するためのリソースエレメントである。
【００２４】
本発明では、各リソースエレメントにおける各階層での復調基準信号の送信パワーと、対応する階層でのデータの送信パワーとの割合を定常値に設定するように、復調基準信号に対応するリソースエレメントの総送信パワーは、設定される。即ち、ＤＭＲＳリソースエレメントにおける各階層でのＤＭＲＳの送信パワーとデータリソースエレメントにおける各階層でのデータの送信パワーとの比に応じて、ＤＭＲＳリソースエレメントにおける総送信パワーが決定される。
【００２５】
各ＤＭＲＳリソースエレメントにおいて、ＤＭＲＳの少なくとも１つの階層は搬送されることができる。一般的には、現在のシステム特性に応じて、符号分割多重を行うためのＤＭＲＳリソースエレメントにおけるＤＭＲＳの最大階層数は４である。データリソースエレメントにおいて、現在の総階層数に対応するすべての階層のデータが搬送される。本発明では、各リソースエレメントにおける各階層でのＤＭＲＳの送信パワーは同じであり、各リソースエレメントにおける各階層でのデータの送信パワーも同じである。本発明では、リソースエレメントにおける各階層でのＤＭＲＳの送信パワーと、それと対応する階層でのデータの送信パワーとの比を定常値に設定する。そのため、各階層でのデータの送信パワーと各階層でのＤＭＲＳの送信パワーとの割合の関係をユーザ端末に通知する必要がない。これにより、ネットワーク側での制御シグナルのオーバーヘッドが大幅に低減し、更にユーザ端末のチャネル推定効率が向上する。
【００２６】
本発明では、以下の２種類の設定モードが考慮されている。
【００２７】
モード１：ダウンリンク伝送に用いられる現在の総階層数に関わらず、各階層でのＤＭＲＳの送信パワーと、対応する階層でのデータの送信パワーとの割合が定常値ｒである。データＲＥの総送信パワーがＰである場合に、ＤＭＲＳのＲＥの総送信パワーは、（ｌ・ｒ／Ｌ）Ｐである。ここで、Ｌはダウンリンク伝送に用いられる現在の総階層数であり、ｌはＤＭＲＳのＲＥにおけるＤＭＲＳの符号分割多重の階層数である。
【００２８】
モード２：ダウンリンク伝送に用いられる現在の総階層数の情况に応じて、各階層でのＤＭＲＳの送信パワーと、対応する階層でのデータの送信パワーとの割合がそれぞれセットされる。階層数が２以下である場合、上記割合は定常値ｒ１である。もし、定常値ｒ１が１にセットされると、ＤＭＲＳのＲＥの総送信パワーは、データＲＥの総送信パワーと同じにセットされてよい。階層数が３以上である場合、上記割合は定常値ｒ２である。例えば、定常値ｒ２は２にセットされてもよい。データＲＥの総送信パワーがＰである場合に、ＤＭＲＳのＲＥの総送信パワーは、（ｌ・ｒ１／Ｌ）Ｐ又は（ｌ・ｒ２／Ｌ）Ｐである。ここで、Ｌはダウンリンク伝送に用いられる現在の総階層数であり、ｌはＤＭＲＳのＲＥにおけるＤＭＲＳの符号分割多重の階層数である。
【００２９】
前記定常値は、一般的に４より小さい自然数である。
【００３０】
以下、具体的な実施形態によって、本発明の技術的解決のエッセンスを更に説明する。
【００３１】
実施形態１
本実施形態では、例えば、各階層（ｌａｙｅｒ）のために、固定のＤＭＲＳアンテナポートが指定されるものとする。例えば、現在のＤＭＲＳポートが、｛ｐｏｒｔ０、ｐｏｒｔ１、ｐｏｒｔ２、ｐｏｒｔ３、ｐｏｒｔ４、ｐｏｒｔ５、ｐｏｒｔ６、ｐｏｒｔ７｝であり且つ、ｒａｎｋが１又は２である場合、ＤＭＲＳポートに対応するパイロット周波数シーケンス（ＤＭＲＳ）は、符号分割多重を介して、ＤＭＲＳポートにマッピングされる。各階層でのＤＭＲＳシーケンスと、ＤＭＲＳポートとの対応関係は、数１、数２である。
【００３２】
【数１】
2013519320.tif 000003
【数２】
2013519320.tif 000004
【００３３】
ランクが３又は４である場合、符号分割多重＋周波数分割多重／時間分割多重は、ＤＭＲＳポートに対応するパイロット周波数シーケンスに行われる。符号分割多重は、ＲＥを表すための図１に砂模様格子として示されるｐｏｒｔ０、ｐｏｒｔ１に対応するパイロット周波数シーケンスに行われる。また、符号分割多重は、ＲＥを表すための図１に格子線格子として示されるｐｏｒｔ２、ｐｏｒｔ３に対応するパイロット周波数シーケンスに行われる。
【００３４】
ランクが５〜８である場合、符号分割多重＋周波数分割多重／時間分割多重は、ＤＭＲＳポートに対応するパイロット周波数シーケンスに行われる。符号分割多重は、ＲＥを表すための図１に砂模様格子として示されるｐｏｒｔ０、ｐｏｒｔ１、ｐｏｒｔ４、ｐｏｒｔ６に対応するパイロット周波数シーケンスに行われる。また、符号分割多重は、ＲＥを表すための図１に格子線格子として示されるｐｏｒｔ２、ｐｏｒｔ３、ｐｏｒｔ５、ｐｏｒｔ７に対応するパイロット周波数シーケンスに行われる。
【００３５】
固定のＤＭＲＳアンテナポートに対応する前記各階層に基づいて、ＤＭＲＳのＲＥの総送信パワーと各データＲＥの総送信パワーとの割合の関係を表１に示すように設定する。
【００３６】
【表１】
2013519320.tif 000005
【００３７】
表１では、ｒは、設定後の各階層でのＤＭＲＳの送信パワーと、対応する階層でのデータの送信パワーとの割合を示し、Ｐは、データＲＥの総送信パワーを示している。第１グループのＣＤＭの階層に対応するＲＥは、具体的に図１における砂模様格子に示すＲＥであり、第２グループのＣＤＭの階層に対応するＲＥは、具体的に図１に示される格子線格子によって表されるＲＥである。一例として、表１におけるランクが５であり、且つ、ｒが２である状態を挙げると、第１グループのＣＤＭの階層に対応するＲＥの総送信パワーは、（５／６）Ｐである。３つの階層（ｌａｙｅｒ０、ｌａｙｅｒ１、ｌａｙｅｒ４）のＤＭＲＳはこのＲＥに搬送され、且つ、ＲＥにおける各階層でのＤＭＲＳの送信パワーは等しいため、各階層でのＤＭＲＳの送信パワーは（２／５）Ｐである。５つの階層のデータは、データＲＥに搬送され、且つ、データＲＥの総送信パワーはＰであるため、したがって各階層でのデータの送信パワーは（１／５）Ｐである。その結果、ＤＭＲＳのＲＥにおける各階層でのＤＭＲＳの送信パワーは、この階層でのデータに対応する送信パワーの２倍であることが確保される。
【００３８】
第２グループのＣＤＭの階層に対応するＲＥの総送信パワーは（４／５）Ｐである。２つの階層（ｌａｙｅｒ２、ｌａｙｅｒ３）のＤＭＲＳは、このＲＥに搬送され、且つ、ＲＥにおける各階層でのＤＭＲＳの送信パワーもまた等しいため、したがって各階層でのＤＭＲＳの送信パワーは（２／５）Ｐである。５つの階層のデータは、データＲＥに搬送され、且つ、データＲＥの総送信パワーはＰであるため、各階層でのデータの送信パワーは、（１／５）Ｐである。その結果、ＤＭＲＳのＲＥにおける各階層でのＤＭＲＳの送信パワーは、この階層でのデータに対応する送信パワーの２倍であることが確保される。
【００３９】
上記実施形態では、表１は、第１グループのＤＭＲＳのＲＥにマッピングされた階層数が、第２グループのＤＭＲＳのＲＥにマッピングされた階層数以上であると仮定していると解釈されるべきである。第１グループのＤＭＲＳのＲＥにマッピングされた階層数が、第２グループのＤＭＲＳのＲＥにマッピングされた階層数以下である場合には、表１における、第１グループのＣＤＭのポートに対応するＲＥの総パワーと第２グループのＣＤＭのポートに対応するＲＥの総パワーとは交換可能である。
【００４０】
実施形態２
本実施形態では、奇数の階層が存在する場合に、ＤＭＲＳポート数が偶数となるように、あるｌａｙｅｒのＤＭＲＳを同時に２つのＤＭＲＳポートにマッピングする。例えば、それぞれが であるＩ個の階層が、ｌａｙｅｒ０，ｌａｙｅｒ２，  ...  ，ｌａｙｅｒＩとして存在していることを想定する。Ｉが奇数である場合に、あるｌａｙｅｒｉに対応するＤＭＲＳを同時に２つのＤＭＲＳポートにマッピングする。例えば、階層数が、３である場合、ｌａｙｅｒ０に対応するＤＭＲＳを同時に２つのＤＭＲＳポートにマッピングしてもよい。例えば、ｌａｙｅｒ０、ｌａｙｅｒ１が１つのグループのＤＭＲＳポートに対応し、ｌａｙｅｒ０、ｌａｙｅｒ２が他の１つのグループのＤＭＲＳポートに対応する。
【００４１】
ＤＭＲＳのＲＥの総送信パワーと各データＲＥの総送信パワーとの割合の関係を表２に示すように設定する。
【００４２】
上記階層及びＤＭＲＳアンテナポートのマッピング関係に基づいて、ＤＭＲＳのＲＥの総送信パワーと各データＲＥの総送信パワーとの割合の関係を表２に示すように設定する。
【００４３】
【表２】
2013519320.tif 000006
【００４４】
表２では、ｒは、設定後の各階層でのＤＭＲＳの送信パワーと、対応する階層でのデータの送信パワーとの割合を示し、Ｐは、データＲＥの総送信パワーを示している。本実施形態では、各種のランクに対して、図１の砂模様格子に示すＲＥの総送信パワーと格子線格子に示すＲＥの総送信パワーとは等しく設定される。
【００４５】
一例として、表２におけるランクが５であり、且つ、ｒが２である状態を挙げると、ＤＭＲＳのＲＥの総送信パワーは（５／６）Ｐである。ある階層のＤＭＲＳは、同時に２つのＤＭＲＳポートにマッピングされるため、３階層のＤＭＲＳは、図１における砂模様格子に示すＲＥ及び格子線格子に示すＲＥに搬送される。ＲＥにおける各階層でのＤＭＲＳの送信パワーは等しいため、したがってＤＭＲＳのＲＥにおける各階層でのＤＭＲＳの送信パワーは（２／５）Ｐである。５階層のデータは、データＲＥに搬送され、且つ、データＲＥの総送信パワーはＰであるため、したがって各階層でのデータの送信パワーは、（１／５）Ｐである。その結果、ＤＭＲＳのＲＥにおける各階層でのＤＭＲＳの送信パワーは、この階層でのデータに対応する送信パワーの２倍であることが確保される。
【００４６】
図２は、本発明に係る復調基準信号の送信パワー設定装置の第１の構造の模式図である。図２に示すように、本例における復調基準信号の送信パワー設定装置は、ＲＥにおける各階層でのＤＭＲＳの送信パワーと、対応する階層でのデータの送信パワーとの割合を定常値に設定するための設定ユニット２０を含む。具体的には、設定ユニット２０は、同じＲＥにおける各階層でのＤＭＲＳの送信パワーが等しくなるように設定する。
【００４７】
図３は、本発明に係る復調基準信号の送信パワー設定装置の第２の構造の模式図である。図３に示すように、図２に示す装置に基づいて、本例における復調基準信号の送信パワー設定装置は、更に、ダウンリンク伝送に用いられる総階層数に応じて異なる定常値をセットし、又は、ダウンリンク伝送に用いられる総階層数に応じて固有の定常値をセットするためのセッティングユニット２１を含む。セッティングユニット２１は、更に、ダウンリンク伝送に用いられる総階層数が２以下である場合に第１の定常値をセットし、ダウンリンク伝送に用いられる総階層数が３以上である場合に第２の定常値をセットする。
【００４８】
図４は、本発明に係る復調基準信号の送信パワー設定装置の第３の構造の模式図である。図４に示すように、図２又は図３（本例は図２に基づく）に示す装置に基づいて、本例における復調基準信号の送信パワー設定装置は、更に、ダウンリンク伝送に用いられる総階層数が３以上であり、且つ、奇数である場合に、その中の１つの階層でのＤＭＲＳを同時に２つのＤＭＲＳポートにマッピングするためのマッピングユニット２２を含む。
【００４９】
上記定常値は、４以下の自然数である。
【００５０】
当業者は、図２、図３及び図４に示すような復調基準信号の送信パワー設定装置が、上記復調基準信号の送信パワー設定方法を実現するために設計されるものであると理解すべきである。また、当業者は、図２、図３及び図４に示す装置における各処理ユニットの機能は、上記方法の説明を参照して理解すべきである。また、当業者は、各処理ユニットの機能は、プロセッサー上のプログラムを通じて実現可能であり、また具体的なロジック回路を通じて実現可能であることも理解すべきである。
【００５１】
以上は、本発明の好ましい実施形態に過ぎず、本発明の保護範囲を限定するものではない。
【図１】
2013519320.tif 000007
【図２】
2013519320.tif 000008
【図３】
2013519320.tif 000009
【図４】
2013519320.tif 000010
【国際調査報告】
2013519320.tif 000011
2013519320.tif 000012
2013519320.tif 000013
2013519320.tif 000014